(57)【特許請求の範囲】
【請求項１】
浴槽と加熱器とを循環路により接続し、浴槽中の湯水を循環させながら沸き上げるようにした追焚制御方法であって、追焚開始前の湯水の温度または追焚開始から一定時間経過した後の湯水の温度を基準温度とし、該基準温度に上昇分の温度を加えて追焚の目標温度とするものにおいて、
追焚中に湯水が前記基準温度より低くなった場合に、該低くなった温度を基準温度として前記上昇分の温度を加えて沸き上げるようにしたことを特徴とする追焚制御方法。
【請求項２】
浴槽と加熱器とを循環路により接続し、浴槽中の湯水を循環させながら沸き上げるようにした追焚制御方法であって、追焚開始前の湯水の温度または追焚開始から一定時間経過した後の湯水の温度を基準温度とし、該基準温度に上昇分の温度を加えて追焚の目標温度とするものにおいて、
前記基準温度から前記目標温度に沸き上る迄の時間が少なくとも浴槽に予想できる最小の循環可能水量を追炊き上昇分の所定温度だけ上昇するための加熱時間である予定時間より少なく、かつ、湯水の循環を一定時間行なった後において湯水の温度が前記目標温度より低くなった場合には、再度追焚を行なうようにしたことを特徴とする追焚制御方法。
【請求項３】
浴槽と加熱器とを循環路により接続し、浴槽中の湯水を循環させながら沸き上げるようにした追焚制御装置であって、追焚開始前の湯水の温度または追焚開始から一定時間経過した後の湯水の温度を基準温度とし、該基準温度に上昇分の温度を加えて追焚の目標温度とするものにおいて、
前記基準温度および追焚中の湯水の温度を検出する湯温センサと、
前記基準温度の情報を記録しておく記憶部と、
前記湯温センサが検出する前記基準温度と前記追焚中の湯水の温度とを比較し、追焚中の湯水の温度が前記基準温度より低い温度になった場合に、前記記憶部の基準温度を前記低い温度に書き換えて、該低い基準温度に基づき沸き上げるべく、前記記憶部に低い基準温度を出力する演算部とを備えたことを特徴とする追焚制御装置。
【請求項４】
浴槽と加熱器とを循環路により接続し、浴槽中の湯水を循環させながら沸き上げるようにした追焚制御装置であって、追焚開始前の湯水の温度または追焚開始から一定時間経過した後の湯水の温度を基準温度とし、該基準温度に上昇分の温度を加えて追焚の目標温度とするものにおいて、
前記基準温度および追焚中の湯水の温度を検出する湯温センサと、
前記基準温度から前記目標温度に沸き上る迄の予定時間および前記目標温度を記録する記憶部と、
前記湯水の温度と前記目標温度とを比較し、および、前記基準温度から前記目標温度に沸き上る迄の時間と前記予定時間とを比較する演算部と、
該演算部が、前記基準温度から前記目標温度に沸き上る迄の時間が少なくとも浴槽に予想できる最小の循環可能水量を追炊き上昇分の所定温度だけ上昇するための加熱時間である予定時間より少なく、かつ、湯水の循環を一定時間行なった後において湯水の温度が前記目標温度より低くなったと判別した場合には、再び、追焚信号が出力される駆動回路とを備えたことを特徴とする追焚制御装置。
【発明の詳細な説明】
【０００１】
【発明の属する技術分野】
本発明は、浴槽と加熱器とを循環路により接続し、浴槽中の湯水を循環させながら沸き上げるようにした追焚制御方法に関する。
【０００２】
【従来の技術】
従来の追焚制御方法としては、例えば、追焚開始してから、一定時間経過後に湯水の温度を測定し、測定した温度を基準温度として、基準温度に上昇分の温度を加えた目標温度に沸き上げるようにしたものがある。
【０００３】
【発明が解決しようとする課題】
しかしながら、このような従来の追焚制御方法では、入浴中に追焚を開始すると、追い焚きした湯水が浴槽全体に行き渡る前に入浴者に当たって再度循環路に取り込まれ、この状態を繰り返し行われる場合があり、その取り込まれた湯水の温度を基準温度とすると、基準温度が実際の浴槽内の湯水の温度より高い温度になっているので、所望の温度以上に沸き上げてしまう場合がある。
また、湯水が目標温度に達すると、追焚が停止されるが、適正な状態で追焚されないで、浴槽中の湯水を全体的に攪拌すると結果的に目標温度より湯水の温度が低い場合が生じるという問題点があった。
本発明は、このような従来の問題点に着目してなされたもので、入浴中などの状況を判別し、浴槽内の湯水の温度を正確に測定可能にしたので、正確な基準温度に基づいて沸き上げることができ、また、目標温度に達するまでの時間が予定時間より短く、一定時間循環した後に湯水の温度が目標温度に達していない場合には、再度追焚を行ない、目標温度に沸き上げることができる追焚制御方法を提供することを目的としている。
【０００４】
【課題を解決するための手段】
かかる目的を達成するための本発明の要旨とするところは、次の各項に記載する発明に存する。
１  浴槽（１８）と加熱器（１３，１４）とを循環路（１２）により接続し、浴槽（１８）中の湯水を循環させながら沸き上げるようにした追焚制御方法であって、追焚開始前の湯水の温度または追焚開始から一定時間経過した後の湯水の温度を基準温度とし、該基準温度に上昇分の温度を加えて追焚の目標温度とするものにおいて、
追焚中の湯水が前記基準温度より低くなった場合に、該低くなった温度を基準温度として前記上昇分の温度を加えて沸き上げるようにしたことを特徴とする追焚制御方法。
【０００５】
２  浴槽（１８）と加熱器（１３，１４）とを循環路（１２）により接続し、浴槽（１８）中の湯水を循環させながら沸き上げるようにした追焚制御方法であって、追焚開始前の湯水の温度または追焚開始から一定時間経過した後の湯水の温度を基準温度とし、該基準温度に上昇分の温度を加えて追焚の目標温度とするものにおいて、
前記基準温度から前記目標温度に沸き上る迄の時間が少なくとも浴槽に予想できる最小の循環可能水量を追炊き上昇分の所定温度（△Ｔ℃）だけ上昇するための加熱時間である予定時間より少なく、かつ、湯水の循環を一定時間行なった後において湯水の温度が前記目標温度より低くなった場合には、再度追焚を行なうようにしたことを特徴とする追焚制御方法。
【０００６】
３  浴槽（１８）と加熱器（１３，１４）とを循環路（１２）により接続し、浴槽（１８）中の湯水を循環させながら沸き上げるようにした追焚制御装置であって、追焚開始前の湯水の温度または追焚開始から一定時間経過した後の湯水の温度を基準温度とし、該基準温度に上昇分の温度を加えて追焚の目標温度とするものにおいて、
前記基準温度および追焚中の湯水の温度を検出する湯温センサ（１６）と、
前記基準温度の情報を記録しておく記憶部（２２）と、
前記湯温センサ（１６）が検出する前記基準温度と前記追焚中の湯水の温度とを比較し、追焚中の湯水の温度が前記基準温度より低い温度になった場合に、前記記憶部（２２）の基準温度を前記低い温度に書き換えて、該低い基準温度に基づき沸き上げるべく、前記記憶部（２２）に低い基準温度を出力する演算部（２１）とを備えたことを特徴とする追焚制御装置。
【０００７】
４  浴槽（１８）と加熱器（１３，１４）とを循環路（１２）により接続し、浴槽（１８）中の湯水を循環させながら沸き上げるようにした追焚制御装置であって、追焚開始前の湯水の温度または追焚開始から一定時間経過した後の湯水の温度を基準温度とし、該基準温度に上昇分の温度を加えて追焚の目標温度とするものにおいて、
前記基準温度および追焚中の湯水の温度を検出する湯温センサ（１６）と、
前記基準温度から前記目標温度に沸き上る迄の予定時間および前記目標温度を記録する記憶部（２２）と、
前記湯水の温度と前記目標温度とを比較し、および、前記基準温度から前記目標温度に沸き上る迄の時間と前記予定時間とを比較する演算部（２１）と、
該演算部（２１）が、前記基準温度から前記目標温度に沸き上る迄の時間が少なくとも浴槽に予想できる最小の循環可能水量を追炊き上昇分の所定温度（△Ｔ℃）だけ上昇するための加熱時間である予定時間より少なく、かつ、湯水の循環を一定時間行なった後において湯水の温度が前記目標温度より低くなったと判別した場合には、再び、追焚信号が出力される駆動回路（２４）とを備えたことを特徴とする追焚制御装置。
【０００８】
次に、前記各項に記載された発明の作用について説明する。
追焚開始前または追焚開始から一定時間経過後に浴槽（１８）の湯水の基準温度を検出する際には、例えば、浴槽（１８）内の湯水を循環路（１２）にて循環または追焚し、一定時間循環または追焚した後に、湯水の温度を検出するようにしている。
【０００９】
例えば、入浴中に追焚を行なうと、循環させて沸き上げた湯水が入浴者に当たって、再度循環路（１２）に取り込まれる現象が生じ、その取り込まれた湯水の湯温を基準温度として、上昇分の温度を加えた目標温度に沸き上げるようになる。
追焚中に入浴者が移動して、浴槽（１８）内の未循環の湯水が循環路（１２）に取り込まれ、初期に設定された基準温度より低い温度になると、初期設定の基準温度が不適正な状態であるとして、新たに書き換えた基準温度に基づき沸き上げるようにする。それにより、例えば、所望の温度以上に湯水が追焚されることが防止される。
【００１０】
請求項２記載の追焚制御方法では、
前記基準温度から前記目標温度に沸き上る迄の時間が予定時間より少なく、かつ、湯水の循環を一定時間行なった後において湯水の温度が前記目標温度より低くなった場合には、再度追焚を行なうようにしたので、不適正な状態で追焚が行なわれたことが判別され、所望の目標温度に湯水を沸き上げることができる。
【００１１】
請求項３記載の追焚制御装置では、
演算部（２１）が、湯温センサ（１６）が検出する前記基準温度と追焚中の湯水の温度とを比較し、追焚中の湯水の温度が基準温度より低い温度になった場合に、記憶部（２２）の基準温度を低い温度に書き換えて、低い基準温度に基づき沸き上げるべく、記憶部（２２）に低い基準温度を出力するようにしたので、初期設定の基準温度が不適正な状態であるとして、新たに書き換えた基準温度に基づき沸き上げるようになり、それにより、例えば、所望の温度以上に湯水が追焚されることが防止される。
【００１２】
請求項４記載の追焚制御装置では、
演算部（２１）が、基準温度から目標温度に沸き上る迄の時間が予定時間より少なく、かつ、湯水の循環を一定時間行なった後において湯水の温度が目標温度より低くなったと判別した場合には、再び、駆動回路（２４）に追焚信号を出力するようにしたので、不適正な状態で追焚が行なわれたことが判別され、所望の目標温度に湯水を沸き上げることができる。
【００１３】
【発明の実施の形態】
以下、図面に基づき本発明の実施の一形態を説明する。
各図は本発明の実施の一形態を示している。
図２に示すように、本発明は風呂釜１０に適用されており、風呂釜１０は、浴槽１８、浴槽１８内の水を循環するための循環路である循環管路１２および加熱器とから成り、循環管路１２は、戻り管１２ａがポンプ１５を介して往き管１２ｂに接続されて成り、加熱器は、バーナ１３および熱交換器１４から成る。
【００１４】
バーナ１３には、ガス弁１３ａを介してガス供給管が接続され、戻り管１２ａには、サーミスタ１６および流水センサ１７が設けられている。
【００１５】
図１に示すように、サーミスタ１６の温度検出信号は、ＡＤ変換されて、一定時間ごとの温度検出信号が記憶部２２に書き込まれる。記憶部２２には、遠隔操作可能なコントロールパネル２０が接続され、コントロールパネル２０には、運転スイッチ、追焚操作スイッチおよび湯温表示部が配設されている。記憶部２２には、追焚制御プログラムが記録されている。
追焚制御プログラムにおいては、コントロールパネル２０の追焚操作スイッチにより追焚操作信号が出力され、記憶部２２が、追焚開始信号を駆動回路２４に出力し、駆動回路２４によってポンプ１５が通電し、ポンプ１５が始動して、循環管路１２に浴槽１８内の水が循環するようになる。循環管路１２に浴槽１８内の水が循環するようになると、それを流水センサ１７が検出し、検出されると記憶部２２が駆動回路２４にガス弁制御信号を出力し、駆動回路２４によってガス弁用のアクチュエータが通電して、作動し、ガス弁１３ａが開いて、バーナ１３が点火し、循環管路１２中の水が熱交換器１４において熱せられ、往き管１２ｂを経て、浴槽１８に戻される。
【００１６】
追焚開始信号の出力に前後して、タイマ２３は時間情報を記憶部２２に書き込む。追焚開始から一定時間（ｔ１：３０秒）経過すると、記憶部２２は、その経過した時点で、サーミスタ１６から書き込まれた温度情報（浴槽温度）を基準温度Ｔ０とする。演算部２１は基準温度測定時からの経過時間（加熱時間ｔ０）を算出していく。演算部２１は、その基準温度Ｔ０に追焚上昇分の温度△Ｔを加算し、加算した温度は、目標温度として記憶部２２に書き込まれる。
演算部２１は、追焚中において、定期的に記憶部２２に書き込まれるサーミスタ１６からの温度情報と、前記目標温度とを比較して、サーミスタ１６からの温度情報と目標温度とが一致すると、駆動回路２４にガス弁制御信号を出力し、駆動回路２４によってガス弁用のアクチュエータへの通電が遮断され、ガス弁１３ａが閉じ、駆動回路２４によってポンプ１５への通電が遮断され、ポンプ１５が停止して、循環管路１２に浴槽１８内の水が循環しないようになる。
【００１７】
記憶部２２は、追焚中において、風呂燃焼開始時からの一定時間（ｔ４：９０分）経過前に、サーミスタ１６からの温度情報が基準温度Ｔ０より低いと、その低い温度に基準温度を書き換え、加熱時間ｔ０の測定を改めて開始する。
また、演算部２１は、浴槽温度が目標温度に達した際に、加熱時間ｔ０と、所定の最小加熱時間（ｔ２：浴槽に予想できる最小の循環可能水量を所定温度△Ｔ℃上昇するための加熱時間）である予定時間とを比較し、比較した結果、記憶部２２は、加熱時間ｔ０が所定の最小加熱時間ｔ２より少ないと、演算部２１は、一定時間ｔ３経過した時点で、サーミスタ１６からの浴槽温度と、目標温度とを比較し、比較した結果、浴槽温度が目標温度より低い場合には、記憶部２２は、駆動回路２４にガス弁制御信号を出力し、駆動回路２４によってガス弁用のアクチュエータ２５が通電して、ガス弁用のアクチュエータ２５が作動し、ガス弁１３ａが開いて、バーナ１３が点火し、燃焼が開始される。
【００１８】
例えば、ｔ２について具体的には、５０秒程度に設定される。浴槽には洋風、和風、和洋折衷の大きく３つに分れるが、和風（７５０サイズ）浴槽に循環金具を取り付けた場合に最小取付センタは８０ｍｍでかつ循環金具の直径は８０ｍｍ、そして循環金具の上３０ｍｍで正常に循環できるとすると、最小循環水量は浴槽のＤ×Ｗを６５ｃｍ×６５ｃｍとすると６５×６５×（８＋８／２＋３）の計算式から約６３リットルとなる。風呂の加熱能力を１００００kcal/h、△T ＝２℃、熱効率８０％のときは、ｔ２＝（（６３リットル×２℃）／（１００００×０．８））×３６００秒＝５６．７秒となる。例えば洋風浴槽（１６００）の場合の最小循環水量は６０×１０８×１５の計算式から９７リットルなので機器設置時にｔ２を調節できるようにしてもよい。
【００１９】
次に作用を説明する。
ステップ１０１において、コントロールパネル２０の追焚操作スイッチにより追焚操作信号が出力されると、記憶部２２は、追焚開始信号を駆動回路２４に出力し、ステップ１０２において、駆動回路２４によってポンプ１５が通電し、ポンプ１５が始動して、循環管路１２に浴槽１８内の水が循環するようになる。
【００２０】
循環管路１２に浴槽１８内の水が循環するようになると、それを流水センサ１７が検出し、ステップ１０３において、流水センサ１７が水の循環を検出すると、記憶部２２が駆動回路２４にガス弁制御信号を出力し、駆動回路２４によってガス弁用のアクチュエータ２５が通電して、ガス弁用のアクチュエータ２５が作動し、ガス弁１３ａが開いて、ステップ１０４において、バーナ１３が点火し、循環管路１２中の水が熱交換器１４において熱せられ、往き管１２ｂを経て、浴槽１８に戻されるようになる。このようにして、浴槽１８内の水が循環加熱されていく。
【００２１】
追焚開始信号の出力に前後して、タイマ２３は時間情報を記憶部２２に書き込む。ステップ１０５において、追焚開始から一定時間（ｔ１：３０秒）経過すると、ステップ１０６において、記憶部２２は、その経過した時点で、サーミスタ１６から書き込まれた温度情報（浴槽温度）を基準温度Ｔ０とする。また、ステップ１０７において、演算部２１が加熱時間ｔ０の測定を開始し、ステップ１２１において、ｔ０のフラグをセットする。
さらに、ステップ１０８において、演算部２１は、基準温度Ｔ０に追焚上昇分の温度△Ｔを加算し、加算した温度は、目標温度として記憶部２２に書き込まれる。
【００２２】
ステップ１０９において、演算部２１は、追焚中において、定期的に記憶部２２に書き込まれるサーミスタ１６からの浴槽温度と、前記目標温度とを比較して、サーミスタ１６からの浴槽温度が目標温度に達すると、ステップ１１０において、記憶部２２は、駆動回路２４にガス弁制御信号を出力し、駆動回路２４によってガス弁用のアクチュエータ２５への通電が遮断され、ガス弁１３ａが閉じ、燃焼が停止される。このときはポンプ１５は継続して作動している。また、ステップ１１１において、演算部２１は、加熱時間ｔ０の算出を終了する。
ステップ１２２において、演算部２１がｔ０フラグの「有り」を判別すると、ステップ１１２において、加熱時間ｔ０と、所定の最小加熱時間ｔ２とを比較し、比較した結果、記憶部２２は、加熱時間ｔ０が所定の最小加熱時間ｔ２より多いと、ステップ１１３において、記憶部２２が、追焚終了信号を駆動回路２４に出力し、駆動回路２４によってポンプ１５への通電が遮断され、ポンプ１５が停止して、循環管路１２に浴槽１８内の水が循環しないようになる。ステップ１２２において、演算部２１がｔ０フラグの「無し」を判別すると、直接、ステップ１１３に移行し、ポンプ１５が停止して、循環管路１２に浴槽１８内の水が循環しないようになる。ステップ１１３において、ポンプ１５が停止すると、ステップ１１４において、一連の動作が終了する。
【００２３】
ステップ１０９において、サーミスタ１６からの浴槽温度が目標温度に達しない場合には、ステップ１１５において、演算部２１が、風呂燃焼開始時からの一定時間ｔ４経過したか否かを判別し、風呂燃焼開始時からの一定時間ｔ４を経過している場合は、動作エラーとして、エラーモードに移行する。
ステップ１１５において、演算部２１が、風呂燃焼開始時からの一定時間ｔ４経過したか否かを判別し、風呂燃焼開始時からの一定時間ｔ４を経過していない場合は、ステップ１１６において、サーミスタ１６からの浴槽温度と基準温度Ｔ０の高低を判別し、浴槽温度が基準温度Ｔ０より低いと、ステップ１１７において、加熱時間ｔ０の計測を停止し、ステップ１０６に戻り、その低い温度に基準温度を書き換え、ステップ１０７において、加熱時間ｔ０の測定を改めて開始する。
【００２４】
ステップ１１６において、浴槽温度が基準温度Ｔ０より高いと、ステップ１０９に戻り、浴槽温度と目標温度との高低を判別する。浴槽温度が目標温度に達しない場合には、ステップ１１５、１１６および１０９が繰り返される。
一方、ステップ１１２において、演算部２１が、浴槽温度が目標温度に達した際の加熱時間ｔ０が、所定の最小加熱時間ｔ２より少ないと判別すると、ステップ１２３において、ｔ０フラグをクリアし、ステップ１１８において、演算部２１が、風呂燃焼停止から一定時間ｔ３経過したか否かを判別し、風呂燃焼停止から一定時間ｔ３経過すると、ステップ１１９において、演算部２１が、一定時間ｔ３経過した時点での、サーミスタ１６からの浴槽温度と、目標温度とを比較し、比較した結果、浴槽温度が目標温度より低い場合には、ステップ１２０において、記憶部２２が、駆動回路２４にガス弁制御信号を出力し、駆動回路２４によってガス弁用のアクチュエータ２５が通電して、ガス弁用のアクチュエータ２５が作動し、ガス弁１３ａが開いて、バーナ１３が点火し、燃焼が開始され、ステップ１０９に戻り、演算部２１は、浴槽温度が目標温度に達するか否かを判別する。
【００２５】
ステップ１１９において、浴槽温度が目標温度より高い場合には、ステップ１１３において、記憶部２２が、追焚終了信号を駆動回路２４に出力し、駆動回路２４によってポンプ１５への通電が遮断され、ポンプ１５が停止して、循環管路１２に浴槽１８内の水が循環しないようになる。
前記実施の形態においては、基準温度と浴槽温度との高低を比較し、かつ、加熱時間と所定の最小加熱時間との多少を比較することにより、浴槽の状況を検出し、追焚制御の適否を判別するものを示したが、両方の比較の一方だけを行なうものであってもよく。それによっても追焚性能を向上することができる。
【００２６】
【発明の効果】
本発明にかかる追焚制御方法によれば、入浴中などの状況を判別し、浴槽内の湯水の温度を正確に測定可能にしたので、正確な基準温度に基づいて沸き上げることができる。また、目標温度に達するまでの時間が予定時間より短く、一定時間循環した後に湯水の温度が目標温度に達していない場合には、再度追焚を行ない、目標温度に沸き上げることができる。
【図面の簡単な説明】
【図１】本発明の実施の一形態を示す追焚制御装置のブロック図である。
【図２】本発明の実施の一形態を示す風呂釜の概念図である。
【図３】本発明の実施の一形態を示す追焚制御装置のフローチャートである。
【符号の説明】
１０…風呂釜
１２…循環管路
１３…バーナ
１４…熱交換器
１５…ポンプ
１６…サーミスタ
１７…流水センサ
１８…浴槽
２０…コントロールパネル
２１…演算部
２２…記憶部
２４…駆動回路
２５…ガス弁用のアクチュエータ
【図１】
0003782844.tif 000002
【図２】
0003782844.tif 000003
【図３】
0003782844.tif 000004